(57)【要約】【課題】容易にスリーブ内にグラウトを注入することができると共に、充填したグラウトがなくなっても、再度充填することで繰り返し何度も使用することができるグラウト注入器及びグラウトの注入方法を提供する。【解決手段】グラウト注入器１は、グラウトの注入口２ａが設けられたスリーブ２内にグラウトを注入し、スリーブ２内に挿入された鉄筋３１、３２とスリーブ２とを固着させるために用いられるものであって、注入口２ａに挿し込まれると共に、スリーブ２内にグラウトを注入するノズル１１と、ノズル１１の基端部１１１に取り付けられると共に、グラウトを充填するための開口部１２ｂが一端側に設けられ、グラウトを収容する収容部１２と、収容部１２の開口部１２ｂを開閉自在に閉じると共に、収容部１２を絞り上げてノズル１１からスリーブ２内にグラウトを送り出す絞り具１３とを有する。【選択図】図１
2017014707.tif 000002
【特許請求の範囲】
【請求項１】
グラウトの注入口が設けられたスリーブ内にグラウトを注入し、スリーブ内に挿入された鉄筋とスリーブとを固着させるために用いられるグラウト注入器であって、
上記注入口に挿し込まれると共に、上記スリーブ内に上記グラウトを注入するノズルと、
上記ノズルの基端部に取り付けられると共に、上記グラウトを充填するための開口部が一端側に設けられ、上記グラウトを収容する収容部と、
上記収容部の開口部を開閉自在に閉じると共に、上記収容部を絞り上げて上記ノズルから上記スリーブ内にグラウトを送り出す絞り具と、を有する、
ことを特徴とするグラウト注入器。
【請求項２】
上記ノズルと上記収容部は、互いと脱着可能な機構によって脱着される、
請求項１記載のグラウト注入器。
【請求項３】
上記絞り具は、
上記収容部を挟み込む一対のスリットが軸心方向に設けられた棒状の絞り部と、
上記絞り部の一端に取り付けられ、使用者が握持する握持部と、からなる、
請求項１又は２記載のグラウト注入器。
【請求項４】
上記絞り部は、断面略円形状からなる、
請求項３記載のグラウト注入器。
【請求項５】
グラウトの注入口が設けられたスリーブ内にグラウトを注入し、スリーブ内に挿入された鉄筋とスリーブとを固着させる方法であって、
上記注入口に挿し込まれると共に、上記スリーブ内に上記グラウトを注入するノズルと、
上記ノズルに取り付けられると共に、上記グラウトを充填するための開口部が一端側に設けられ、上記グラウトを収容する収容部と、
上記収容部の開口部を開閉自在に閉じると共に、上記収容部を絞り上げて上記ノズルから上記スリーブ内にグラウトを送り出す絞り具と、を備えたグラウト注入器により、
上記絞り具によって上記収容部を絞り、上記鉄筋が挿入されたスリーブの注入口に、上記ノズルからグラウトを送り出す工程、を有する、
ことを特徴とするグラウトの注入方法。
【発明の詳細な説明】
【技術分野】
【０００１】
本発明は、スリーブ内に挿入された鉄筋とスリーブとを固着させるために用いられるグラウト注入器、及び当該グラウト注入器によるグラウトの注入方法に関する。
【背景技術】
【０００２】
従来、モルタル、エポキシ樹脂等の充填剤を鉄筋継手等に注入する際にはコーキングガンがよく用いられている。コーキングガンは、カートリッジ内に充填された充填剤をピストンにより押圧して、カートリッジの先端に設けたノズルから注出する。
【０００３】
この点、例えば特許文献１では、カートリッジに充填したコーキング剤をピストンにより押圧してノズルから注出するコーキングガンにおいて、ピストンを空気圧により伸長して前進させるベローズをカートリッジに挿入し、ベローズを後退させるベローズ後退手段をカートリッジ又はカートリッジ収容部材に備え、ベローズ後退手段は、例えば、口径が異なる複数の円筒部材を同軸上に伸縮自在に嵌合して成ると共にベローズを外嵌して一体に伸縮する竹の子シリンダを備え、竹の子シリンダは、後方に付勢するコイルばねを内側の円筒部材と外側の円筒部材との間に介装するコーキングガンが提案されている。
【先行技術文献】
【特許文献】
【０００４】
【特許文献１】特開平１１−１６９７６６号公報
【発明の概要】
【発明が解決しようとする課題】
【０００５】
しかしながら、コーキングガンは通常、充填剤がなくなると、充填剤が充填されたカートリッジを付け替えて使用する。即ち、カートリッジに充填剤を充填するのではなく、カートリッジ自体を交換するため、カートリッジを構成する容器がその都度廃棄されることになる。その結果、カートリッジの交換には、使用するグラウト以上のコストがかかる。
また、特にピストン等を機械的手段によって伸張させるようなタイプの場合、充填剤が付着あるいは固着等して支障をきたしやすくなる。
さらに、コーキングガンはその大きさのために施工のために十分なスペースが必要となり、狭い場所や部材が入り組んだような場所では扱い辛いし、充填剤を押し出す際に握力が必要で、施工が大変である。
【０００６】
そこで、本発明は、容易にスリーブ内にグラウトを注入することができると共に、充填したグラウトがなくなっても、再度充填することで繰り返し何度も使用することができるグラウト注入器及びグラウトの注入方法を提供することを目的とする。
【課題を解決するための手段】
【０００７】
上記目的を達成するため、本発明の一の観点に係るグラウト注入器は、グラウトの注入口が設けられたスリーブ内にグラウトを注入し、スリーブ内に挿入された鉄筋とスリーブとを固着させるために用いられるグラウト注入器であって、上記注入口に挿し込まれると共に、上記スリーブ内に上記グラウトを注入するノズルと、上記ノズルに取り付けられると共に、上記グラウトを充填するための開口部が一端側に設けられ、上記グラウトを収容する収容部と、上記収容部の開口部を開閉自在に閉じると共に、上記収容部を絞り上げて上記ノズルから上記スリーブ内にグラウトを送り出す絞り具と、を有することを特徴とする。
【０００８】
また、上記ノズルと上記収容部は、互いと脱着可能な機構によって脱着されるものとしてもよい。
【０００９】
また、上記絞り具は、上記収容部を挟み込む一対のスリットが軸心方向に設けられた棒状の絞り部と、上記絞り部の一端に取り付けられ、使用者が握持する握持部と、からなるものとしてもよい。
【００１０】
また、上記絞り部は、断面略円形状からなるものとしてもよい。
【００１１】
また、本発明の別の観点に係るグラウトの注入方法は、グラウトの注入口が設けられたスリーブ内にグラウトを注入し、スリーブ内に挿入された鉄筋とスリーブとを固着させる方法であって、上記注入口に挿し込まれると共に、上記スリーブ内に上記グラウトを注入するノズルと、上記ノズルに取り付けられると共に、上記グラウトを充填するための開口部が一端側に設けられ、上記グラウトを収容する収容部と、上記収容部の開口部を開閉自在に閉じると共に、上記収容部を絞り上げて上記ノズルから上記スリーブ内にグラウトを送り出す絞り具と、を備えたグラウト注入器により、上記絞り具によって上記収容部を絞り、上記鉄筋が挿入されたスリーブの注入口に、上記ノズルからグラウトを送り出す工程、を有することを特徴とする。
【発明の効果】
【００１２】
本発明によれば、容易にスリーブ内にグラウトを注入することができるし、グラウトがなくなっても、再度充填することで繰り返し何度も使用することができる。また、コンパクトなために施工場所が制限されることがないし、グラウトを注入するのに大きな握力を必要とせず、施工が楽である。
【図面の簡単な説明】
【００１３】
【図１】本発明の実施形態に係るグラウト注入器を示した外観斜視図である。
【図２】本実施形態に係るグラウト注入器を構成する（ａ）ノズルと収容部、及び（ｂ）絞り具を示した外観斜視図である。
【図３】本実施形態に係るグラウト注入器の使用方法を説明する図である。
【図４】本実施形態に係るグラウト注入器の使用方法の一例を示した図である。
【図５】本実施形態に係るグラウト注入器の使用方法の他の例を示した図である。
【発明を実施するための形態】
【００１４】
以下、本発明の実施形態に係るグラウト注入器について、図を参照して説明する。
図１に示されるように、グラウト注入器１は、グラウトの注入口２ａが設けられたスリーブ２内にグラウトを注入し、スリーブ２内に挿入された一対の鉄筋３１、３２とスリーブ２とを固着させるために用いられる器具である。
【００１５】
まず、本実施形態においてグラウト注入器１が適用されるスリーブ２と鉄筋３１、３２について説明しておくと、スリーブ２は、一定の径からなる円筒状の鋼管であり、両端が開口した貫挿孔２ｂを備えている。貫挿孔２ｂの径は、鉄筋３１、３２の径よりも僅かに大きく、両端開口部から貫挿孔２ｂ内に鉄筋３１、３２を挿入することができる。また、スリーブ２の外周面上には、内部にグラウトを注入するための小径の注入口２ａが形成されている。
一方、鉄筋３１、３２は、外周面上に、一定のピッチで互いに平行な凸状の節が形成された異形鉄筋である。
【００１６】
なお、本実施形態では、図１に示される円筒状のスリーブ２により一対の異形鉄筋の鉄筋３１、３２を連結する例を示しているが、本実施形態に係るグラウト注入器１は、スリーブ２に注入口２ａが設けられていれば円筒形状以外のスリーブにも適用が可能であるし、鉄筋３１、３２についても異形鉄筋以外の丸棒状のもの等にも適用が可能である。
【００１７】
グラウト注入器１は図２に示されるように、ノズル１１、収容部１２、及び絞り具３からなる。
ノズル１１は先端が細長い棒状の部材からなり、先端がスリーブ２の注入口２ａに挿し込まれ、収容部１２内に収容されているグラウトをスリーブ２内に注入する。
このノズル１１は、注入口２ａに挿し込まれる先端側が注入口２ａの径よりも小さい径で構成されており、先端の中心にはノズル孔１１ａが設けられている。このノズル孔１１ａは収容部１２に通じており、当該ノズル孔１１ａから収容部１２に通じる部分はグラウトが通過する案内路となり、収容部１２内のグラウトはノズル孔１１ａを通じて外部に送り出される。
【００１８】
ノズル１１の端部のうち、スリーブ２の注入口２ａに挿し込まれる側とは反対側の基端部１１１には、収容部１２に脱着可能に取り付けられるための機構が設けられている。即ち、ノズル１１の基端部１１１には内周面にネジが切られた筒型形状の開口部１１ｂが設けられている。一方、収容部１２の一端にも外周面にネジが切られた筒型形状の開口部１２ａが設けられており、このノズル１１の開口部１１ｂと収容部１２の開口部１２ａのネジ同士が螺合することによって、ノズル１１が収容部１２に脱着可能に取り付けられる。
なお、この収容部１２にノズル１１を取り付けるための機構は上記したネジ機構に限らず、嵌め込み等の他の機構によることもできる。また、本例においては、ノズル１１と収容部１２とは脱着可能な機構によって取り付けられるものとしたが、一体的に構成することもできる。
【００１９】
収容部１２は両端が開口した略袋状の部材からなり、内部にグラウトを収容すると共に、ノズル１１に取り付けられる。
ノズル１１が取り付けられる開口部１２ａには上記のとおり、ノズル１１に脱着可能に取り付けるための機構が設けられている。
一方、他端側開口部１２ｂは開放されており、この開口部１２ｂから収容部１２内にグラウトを充填することができる。
【００２０】
また、収容部１２は軟性樹脂等、外部から力を加えることによって変形可能な材質によって構成され、これにより、内部に収容されたグラウトを押し出すことができる。
【００２１】
絞り具１３は先端が二股に分かれた断面略円形の棒状の部材であって、収容部１２の開口部１２ｂを開閉自在に閉じると共に、収容部１２を絞り上げてノズル１１からスリーブ２内にグラウトを送り出すことができる。
この絞り具１３は、棒状の絞り部１３１と、絞り部１３１の一端に取り付けられ、使用者が握持する握持部１３２とからなる。
【００２２】
絞り部１３１は、内部が中空の略円筒形状からなり、軸心方向に沿って幅方向に開口した一対のスリット１３ａ、１３ｂが所定の長さで設けられている。このスリット１３ａ、１３ｂによって収容部１２を挟み込むことができる。
【００２３】
握持部１３２は、絞り部１３１よりも径が大きい略円盤状の部材である。この握持部１３２の外周面上には凹凸が設けられており、使用者が握持した際に滑りにくくなっている。
【００２４】
次に、本実施形態に係るグラウト注入器の使用方法について説明する。
まず、図３に示されるように、収容部１２の開口部１２ｂから収容部１２内にグラウトを収容させる。この際には、ノズル１１からグラウトが漏れ出さないように、予めノズル１１の先端にキャップ１１ｂを付けておくとよい。開口部１２ｂを閉じることができる程度にグラウトを収容させた後は、絞り部１３１の一対のスリット１３ａ、１３ｂで開口部１２ｂ近傍を挟み込み、これにより開口部１２ｂを閉じておく。
【００２５】
そして、図４に示されるように一対の鉄筋３１、３２が挿入されたスリーブ２の注入口２ａにノズル１１を挿し込み、グラウトを注入する。このとき、握持部１３２を握持して、絞り部１３１を徐々にノズル１１側にスライドさせていくことにより、収容部１２内のグラウトがノズル１１からスリーブ２内へ押し出される。
【００２６】
また、グラウトをスリーブ２内に注入するときには、図５に示されるように、握持部１３２を握持して、絞り部１３１を徐々にノズル１１側に回転させ、絞り部１３１の外周面上に収容部１２を巻き付けていくことにより、収容部１２内のグラウトをノズル１１からスリーブ２内へ押し出すこともできる。この場合、絞り部１３１が断面略円形であることから、スリット１３ａ、１３ｂによって収容部１２を挟み込んだ状態で絞り部１３１の外周面に収容部１２を巻き付けながら回転させ易い。
【００２７】
以上の本実施形態に係るグラウト注入器１により、容易にスリーブ２内にグラウトを注入することができる。また、そもそもグラウト注入器１自体がコンパクトなことに加え、収容部１２を折り曲げたり、収容部１２内に収容するグラウトの量を少なくしたりすることで、狭い場所や部材が入り組んだ場所など、施工場所を選ばずに使用できるし、グラウトを注入するのに大きな握力を必要としないため、施工が楽である。
また、収容部１２内のグラウトが空になった場合には、収容部１２内を適宜に洗えば、開口部１２ｂから再度、グラウトを注入し、何度も使用することができる。万一、ノズル１１内でグラウトが固着してしまった場合でも、ノズル１１を収容部１２から取り外し、新たなノズル１１に付け替えれば、再び使用することができる。
【００２８】
なお、以上の本実施形態では、グラウト注入器１の握持部１３２は略円盤状の部材からなり、使用者は当該握持部１３２を握持してグラウト注入器１を使用するものとしたが、これにかかわらず、モーター等を備えた自動巻きリールによって構成し、絞り部１３に収容部１２を自動的に巻き付けていくようにすることもできる。
また、収容部１２を手で押圧することによっても、ノズル１１からグラウトを送り出すことができる。
【符号の説明】
【００２９】
１      グラウト注入器
１１    ノズル
１１ａ  ノズル孔
１１１  基端部
１２    収容部
１２ａ、１２ｂ    開口部
１３    絞り具
１３ａ、１３ｂ    スリット
１３１  絞り部
１３２  握持部
２      スリーブ
２ａ    注入口
２ｂ    貫挿孔
３１、３２    鉄筋
【図１】
2017014707.tif 000003
【図２】
2017014707.tif 000004
【図３】
2017014707.tif 000005
【図４】
2017014707.tif 000006
【図５】
2017014707.tif 000007